(57)【要約】【課題】フィン部を曲げることとフィン部の切除を特別な道具無しで行うこととが適切かつ簡単に行えるガスケットを提供する。【解決手段】ガスケット１は、芯部１１から複数本のフィン部１２が突出形成された断面構造を有し、長尺に形成されていることで任意の箇所で切断でき、また不足箇所では継ぎ足して用いられるようになっている。そして、複数本のフィン部１２のうち奥側フィン部１２ｂの各々の根元箇所の屋外側の面に溝部１２１が形成されており、上記溝部１２１によって上記奥側フィン部１２ｂの全体を屋外側へ曲げ易くなるとともに上記奥側フィン部１２ｂの全体を手で裂いて取り除くことが容易に行える。【選択図】図１
2015172278.tif 000002
【特許請求の範囲】
【請求項１】
建物の目地に設けられるガスケットであって、芯部に複数本のフィン部が形成されており、上記複数本のフィン部の少なくとも１本に１本または複数本の溝部を備え、上記溝部によって上記フィン部の一部または全体が建物の屋外側に曲げ易くなるとともに上記フィン部の一部または全体を手で裂いて取り除くことができることを特徴とするガスケット。
【請求項２】
請求項１に記載のガスケットにおいて、上記芯部の硬度よりも上記フィン部の硬度が低くされていることを特徴とするガスケット。
【請求項３】
請求項２に記載のガスケットにおいて、上記芯部の端面に上記硬度が低くされた一対のフィン部が一体となって形成されていることを特徴とするガスケット。
【請求項４】
請求項１〜請求項３のいずれか１項に記載のガスケットにおいて、上記溝部が上記芯部と上記フィン部の境界に存在し、上記境界の芯部幅は当該芯部の最大幅よりも狭いことを特徴とするガスケット。
【請求項５】
請求項１〜請求項４のいずれか１項に記載のガスケットにおいて、上記芯部の最大幅が対象目地の幅の４５％以上６５％以下となる幅であることを特徴とするガスケット。
【請求項６】
請求項１〜請求項５のいずれか１項に記載のガスケットにおいて、上記複数本のフィン部のうち最も屋外側のフィン部と最も屋内側のフィン部との間の中間位置にフィン部が設けられた構造であり、上記中間位置のフィン部が屋外側に曲げられて接触する芯部の部分の幅は芯部の最大幅よりも狭くされていることを特徴とするガスケット。
【請求項７】
請求項１〜請求項６のいずれか１項に記載のガスケットにおいて、上記芯部には、屋外側ほど芯部幅が狭くなる傾斜部が形成されており、この傾斜部にフィン部が形成されていることを特徴とするガスケット。
【発明の詳細な説明】
【技術分野】
【０００１】
この発明は、建物の目地に設けることができるガスケットに関する。
【背景技術】
【０００２】
特許文献１には、設計段階等の隙間幅の相違に対処できると共に、一連の目地等の隙間幅が両端部で相違する場合などにも同じ規定サイズのもので接続処理の必要なく対処できる乾式のガスケットが開示されている。このガスケットは、隙間に対して奥行方向の連結部に、隙間に対して幅方向のヒレ部（フィン部）を有する規定サイズの断面構造をした長尺体からなり、そのヒレ部に、ヒレ幅調節用の手切り可能な切込みを長尺方向に有する。
【先行技術文献】
【特許文献】
【０００３】
【特許文献１】特開平１０−４６６９３号公報
【発明の概要】
【発明が解決しようとする課題】
【０００４】
しかしながら、上記特許文献１のガスケットでは、上記切込みによるフィン部の幅調節が行えるに過ぎず、上記切込みによってフィン部を適切に曲げることは困難であり、また、上記切込みの箇所が拡がる方向にフィン部が曲がると、上記切込みからフィン部に亀裂が入るおそれがあった。
【０００５】
この発明は、上記の事情に鑑み、フィン部を曲げることとフィン部の切除を特別な道具無しで行うこととが、適切かつ簡単に行えるガスケットを提供することを課題とする。
【課題を解決するための手段】
【０００６】
この発明のガスケットは、上記の課題を解決するために、建物の目地に設けられるガスケットであって、芯部に複数本のフィン部が形成されており、上記複数本のフィン部の少なくとも１本に１本または複数本の溝部を備え、上記溝部によって上記フィン部の一部または全体が建物の屋外側に曲げ易くなるとともに上記フィン部の一部または全体を手で裂いて取り除くことができることを特徴とする。
【０００７】
上記の構成であれば、上記フィン部を曲げることと上記フィン部の切除を特別な道具無しで行うこととが、上記溝部によって適切かつ簡単に行えるようになる。よって、例えば、設計上の目地幅通りに現物建物の目地が出来上がった場合であれば、上記溝部によって上記フィン部の一部または全体が屋外方向に曲がるようにして上記ガスケットを上記目地内に入れることができ、その一方で設計上の目地幅に対して現物建物の目地幅が狭いことが生じた場合には、上記フィン部の一部または全体を手で裂いて上記ガスケットを上記目地内に入れることができる。
【０００８】
上記芯部の硬度よりも上記フィン部の硬度が低くてもよい。これによれば、上記フィン部を曲げやすくなり、狭い目地でもガスケットが入れやすくなる。
【０００９】
上記芯部の端面に上記硬度が低くされた一対のフィン部が一体となって形成されていてもよい。これによれば、上記一対のフィン部を曲げ易くなるので、狭い目地でもガスケットが入れ易くなる。
【００１０】
上記溝部が上記芯部と上記フィン部の境界に存在し、上記境界の芯部幅は当該芯部の最大幅よりも狭くてもよい。これによれば、上記フィン部の全体を上記芯部から切除することが容易になるとともに、上記フィン部の全体が切除された箇所の芯部幅を上記芯部の最大幅よりも狭くすることができる。
【００１１】
上記芯部の最大幅が対象目地の幅の４５％以上６５％以下となる幅であってもよい。これによれば、例えば、建物の目地に使用するガスケットの容積が耐火の要求で大きくなる場合であっても、この要求される容積を満足しつつ、ガスケットが上記目地に入らないといった不具合の発生を軽減することが可能になる。
【００１２】
上記複数本のフィン部のうち最も屋外側のフィン部と最も屋内側のフィン部との間の中間位置にフィン部が設けられた構造であり、上記中間位置のフィン部が屋外側に曲げられて接触する芯部の部分の幅は芯部の最大幅よりも狭くされていてもよい。これによれば、狭い目地にガスケットが装着されて上記中間位置のフィン部が屋外側に曲げられるときに、当該中間位置のフィン部が芯部の側に上記狭い分だけ多く曲がることができるので、狭い目地でもガスケットが入れ易くなる。
【００１３】
上記芯部には、屋外側ほど芯部幅が狭くなる傾斜部が形成されており、この傾斜部にフィン部が形成されていてもよい。これによれば、上記フィン部を屋外側に曲げやすくなり、狭い目地でもガスケットが入れやすくなる。
【発明の効果】
【００１４】
本発明であれば、上記フィン部を曲げることと上記フィン部の切除を特別な道具無しで行うこととが、上記フィン部に形成された上記溝部によって、適切かつ簡単に行えるようになる。よって、例えば、設計上の目地幅通りに現物建物の目地が出来上がった場合であれば、上記溝部によって上記フィン部の一部または全体が屋外方向に曲がるようにして上記ガスケットを上記目地内に入れることができ、その一方で設計上の目地幅に対して現物建物の目地幅が狭いことが生じた場合には、上記フィン部の一部または全体を手で裂いて上記ガスケットを上記目地内に入れることができる。
【図面の簡単な説明】
【００１５】
【図１】本発明の実施形態のガスケットを示した説明図であり、同図（Ａ）はフィン部が曲げられていない状態を示し、同図（Ｂ）は一部のフィン部が曲げられた状態を示した図である。
【図２】図１のガスケットが建物の隣り合う外壁パネル間に形成された横目地に装着された状態を示した説明図である。
【図３】図１のガスケットが設計上の幅よりも狭い幅の目地に入れられた状態を示した説明図である。
【発明を実施するための形態】
【００１６】
以下、この発明の実施の形態の建物外壁の目地に設けることができるガスケットを添付図面に基づいて説明する。図１（Ａ）および図１（Ｂ）に示すように、この実施形態のガスケット１は、芯部１１から複数本のフィン部（リップ）１２が突出形成された断面構造を有し、長尺に形成されていることで任意の箇所で切断でき、また不足箇所では継ぎ足して用いられるようになっている。そして、上記ガスケット１は、この例では、合計６本のフィン部１２を有している。これら６本のフィン部１２は、最も屋外側に位置する一対の前側フィン部１２ａと最も屋内側に位置する一対の奥側フィン部１２ｂとこれらの中間に位置する一対の中間フィン部１２ｃとから成っている。また、上記ガスケット１の芯部１１は、その中心を通る面（図１の一点鎖線参照）について面対称となる形状を有しており、また、上記一対の前側フィン部１２ａと一対の奥側フィン部１２ｂと一対の中間フィン部１２ｃも面対称に形成されている。
【００１７】
上記一対の奥側フィン部１２ｂの各々の根元箇所（芯部１１とフィン部１２の境界箇所）の屋外側の面に溝部１２１が形成されている。上記奥側フィン部１２ｂが屋外側へ曲げられるときには、この曲げによるフィン部素材の根元寄りが上記溝部１２１の空間で吸収されるため、曲げに対する抵抗は生じ難く、当該奥側フィン部１２ｂを屋外側へ曲げることが容易になる。また、上記溝部１２１によって上記奥側フィン部１２ｂの根元箇所が薄肉になっているので、当該奥側フィン部１２ｂを手で裂いて容易に取り除くことができる。上記溝部１２１としては、Ｕ字形溝、Ｖ字形溝、Ω形溝、四角形溝などの凹溝を採用することができる。なお、上記溝部１２１は１本のフィン部１２について１本とは限らず、１本のフィン部１２について複数本の溝部１２１を形成することもできる。また、上記奥側フィン部１２ｂ以外のフィン部１２に上記溝部１２１を形成してもよい。
【００１８】
上記ガスケット１は、例えば設計上の目地幅が１０±２ｍｍ幅とされる目地を対象目地としており、一方の前側フィン部１２ａの先端から他方の前側フィン部１２ａの先端までの寸法（前部幅）は９ｍｍ程度とされており、一方の中間フィン部１２ｃの先端から他方の中間フィン部１２ｃの先端までの寸法は１４．５ｍｍ程度とされており、一方の奥側フィン部１２ｂの先端から他方の奥側フィン部１２ｂの先端までの寸法（奥部幅）は１２ｍｍ程度とされている。
【００１９】
また、上記ガスケット１の屋内側の端面から上記中間フィン部１２ｃの先端の最も屋外側の箇所までの寸法（中間フィン部高さ）は５ｍｍ程度とされ、また、上記ガスケット１の屋内側の端面から上記前側フィン部１２ａの先端面までの寸法（ガスケット高さ）は８ｍｍ程度とされている。
【００２０】
上記芯部１１の最大幅は、対象目地の幅の４５％以上６５％以内の範囲とし、望ましくは５０％以上６０％以内の範囲とする。上記ガスケット１においては、上記奥側フィン部１２ｂが屋外側に曲げられて接触し得る部分１１ａが当該芯部１１の最大幅部分となっており、上記部分１１ａの幅は対象目地の幅１０ｍｍの６０％に相当する６ｍｍ程度となっている。また、上記中間フィン部１２ｃが屋外側に曲げられて接触する芯部１１の部分１１ｂの幅は、芯部１１の最大幅（上記部分１１ａの幅）よりも狭く、５ｍｍ程度とされている。
【００２１】
また、上記芯部１１における上記部分１１ａと部分１１ｂとの間の箇所には、屋外側ほど芯部幅が狭くなる傾斜部１１ｃが形成されており、この傾斜部１１ｃに上記中間フィン部１２ｃが形成されている。また、上記中間フィン部１２ｃは先端ほど屋外側に位置する傾斜状態に形成されている。
【００２２】
上記フィン部１２の硬度は上記芯部１１の硬度よりも低くされている。この実施形態では、上記芯部１１は硬質ＴＰＯ（オレフィン系エラストマー）からなり、上記フィン部１２は軟質ＴＰＯからなる。もちろん、このような素材に限るものではない。素材としてはゴム様弾性体が好ましく、ＥＰＤＭなどの合成ゴムを主体として、これを加硫してなる熱硬化性エラストマーやまたは前記ＴＰＯのような熱可塑性エラストマー（ＴＰＥ）がよい。更にＰＶＣなどの樹脂でもよく、特に芯部１１はポリプロピレン（ＰＰ）やポリエチレン（ＰＥ）などの柔軟性の低い素材でも機能する。なお、上記芯部１１は、デュロメーター硬度で７０度程度であり、上記フィン部１２はショア硬度で４８度程度となっている。また、このように部分的に硬度の異なるガスケットは、例えば、押出成形機において各部分の対応領域にそれぞれの形成素材を注入することによって作製することができる。図１、２においては、上記芯部１１とフィン部１２の境界（素材の境界）を点線で示している。
【００２３】
上記溝部１２１は上記奥側フィン部１２ｂと上記芯部１１との境界に存在しており、この境界箇所の上記芯部１１の幅は当該芯部１１の最大幅よりも狭くなっている。すなわち、上記奥側フィン部１２ｂと上記芯部１１との境界は上記芯部１１の最大幅の部分１１ａよりも屋内側の位置において上記部分１１ａよりも幅狭となるように存在している。
【００２４】
また、上記一対の前側フィン部１２ａは、上記芯部１１の屋外側の端面上に設けられた上記軟質ＴＰＯによって一体に形成されている。
【００２５】
図２に示すように、例えば、隣り合う外壁パネル５０、５０間に形成された目地５１内に上記ガスケット１を装着することができる。この図２では、目地５１の幅が１０ｍｍであり、上記ガスケット１は対象目地幅が１０ｍｍ用に設計されている場合を想定して図示している。また、上記ガスケット１は、不定形のシーリング材５２をバックアップするバッカーとなっている。
【００２６】
図３では、上記ガスケット１は対象目地幅が１０ｍｍ用に設計されるが、現物建物の目地５１が幅８ｍｍと狭くなった場合を想定している。このような場合、上記一対の奥側フィン部１２ｂを上記溝部１２１の箇所から手で裂いて取り除くことでガスケット１を目地５１に入れることができる。上記中間フィン部１２ｃは上記部分１１ｂに接した状態で目地５１内に入り込むことになる。また、上記前側フィン部１２ａの全体幅が９ｍｍであるのに対して目地５１の幅が８ｍｍであるので、上記前側フィン部１２ａの先端部は屋外側に少し出るようにして目地５１の内壁面に圧接することになる。なお、現物建物の目地５１が幅１２ｍｍと広くなっていた場合でも、上記中間フィン部１２ｃは目地５１内で突っ張ることができる。
【００２７】
上記の構成であれば、上記フィン部１２を曲げることと上記フィン部１２の切除を特別な道具無しで行うこととが、上記フィン部１２に形成された上記溝部１２１によって、適切かつ簡単に行えるようになる。よって、設計上の目地幅通りに現物建物の目地５１が出来上がった場合であれば、上記溝部１２１によって上記フィン部１２の一部または全体が屋外方向へ曲がるようにして上記ガスケット１を上記目地５１に入れればよい。その一方で、設計上の目地幅に対して現物建物の目地幅が狭いことが生じた場合には、上記フィン部１２の一部または全体を手で裂いて上記ガスケット1を目地内に入れることができる。
【００２８】
上記芯部１１の硬度よりも上記フィン部１２の硬度が低くされていると、上記フィン部１２を曲げ易くなり、狭い目地でもガスケット１を入れ易くなる。また、上記奥側フィン部１２ｂのように、硬度が互いに異なる素材の境界に上記溝部１２１が存在していると、上記奥側フィン部１２ｂの全体を切除することが容易に行えるようになる。
【００２９】
また、上記芯部１１の端面に上記硬度が低くされた一対の前側フィン部１２ａが一体となって形成されていると、上記一対の前側フィン部１２ａが曲げ易くなるので、狭い目地でもガスケット１が入れやすくなる。
【００３０】
上記溝部１２１が上記芯部１１と上記フィン部１２の境界に存在し、上記境界箇所の上記芯部１１の幅が当該芯部１１の最大幅よりも狭くしてあると、上記フィン部１２の全体を上記芯部１１から切除することが容易になるとともに、上記フィン部１２の全体が切除された箇所の幅を上記芯部１１の最大幅よりも狭くすることができる。特に、このような構成が奥側フィン部１２ｂに設けられる場合、この奥側フィン部１２ｂの全体が切除されると、上記芯部１１の最大幅よりも狭い部分が先端側（屋内側）に位置することになり、ガスケット１を目地に入れ易くなる。
【００３１】
上記芯部１１の最大幅が対象目地の幅の４５％から６５％であれば、例えば、建物の目地５１に使用するガスケットの容積が耐火の要求で大きくなる場合でも、この要求される容積を満足しつつ、ガスケットが上記目地に入らないといった不具合の発生を軽減することが可能になる。
【００３２】
上記中間フィン部１２ｃが屋外側に曲げられて接触する芯部１１の上記部分１１ｂの幅が芯部１１の最大幅よりも狭くされていると、狭い目地にガスケット１が装着されて上記中間フィン部１２ｃが屋外側に曲げられときに、当該中間フィン部１２ｃが芯部１１の側に上記狭い分だけ多く曲がることができるので、狭い目地でもガスケット１が入れやすくなる。
【００３３】
上記芯部１１に形成された上記傾斜部１１ｃにフィン部１２が形成されていると、上記フィン部１２を屋外側に曲げやすくなり、狭い目地でもガスケット１が入れやすくなる。
【００３４】
なお、上記の例では、上記ガスケット１はシーリング材のバッカーとして用いられたが、これに限らず、シーリング材を用いない乾式ガスケットとして用いることもできる。また、３対で合計６本のフィン部１２を有する構成を示したが、このような構造に限らない。
【００３５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３６】
１      ガスケット
１１    芯部
１１ａ  部分（芯部の最大幅部分）
１１ｂ  部分
１１ｃ  傾斜部
１２    フィン部
１２ａ  前側フィン部
１２ｂ  奥側フィン部
１２ｃ  中間フィン部
５０    外壁パネル
５１    目地
５２    シーリング材
【図１】
2015172278.tif 000003
【図２】
2015172278.tif 000004
【図３】
2015172278.tif 000005